(57)【要約】【課題】発電効率を改善することができる太陽光発電装置を提供する。【解決手段】本発明の一態様に係る太陽光発電装置は、支柱と、第１太陽光発電パネルと、第２太陽光発電パネルとを備える。第１太陽光発電パネルは、支柱に回転可能に支持され、かつ支柱に対して回転する際に支柱が通過可能な切欠き部を有する。第２太陽光発でパネルは、切欠き部に配置される。第１太陽光発電パネルは、支柱が切欠き部を通過しない回転状態では、第１太陽光発電パネルと第２太陽光発電パネルとが互いに係合することにより第２太陽光発電パネルとともに回転し、かつ、支柱が切欠き部を通過する回転状態では、第１太陽光発電パネルと第２太陽光発電パネルとの係合が解除されることにより第２太陽光発電パネルとは別途に回転するように構成されている。【選択図】図１
2019062692.tif 000002
【特許請求の範囲】
【請求項１】
支柱と、
前記支柱に回転可能に支持され、かつ前記支柱に対して回転する際に前記支柱が通過可能な切欠き部を有する第１太陽光発電パネルと、
前記切欠き部に配置される第２太陽光発電パネルとを備え、
前記第１太陽光発電パネルは、前記支柱が前記切欠き部を通過しない回転状態では、前記第１太陽光発電パネルと前記第２太陽光発電パネルとが互いに係合することにより前記第２太陽光発電パネルとともに回転し、かつ、前記支柱が前記切欠き部を通過する回転状態では、前記第１太陽光発電パネルと前記第２太陽光発電パネルとの係合が解除されることにより前記第２太陽光発電パネルとは別途に回転するように構成されている、太陽光発電装置。
【請求項２】
前記第１太陽光発電パネルは、第１受光面を有し、
前記第２太陽光発電パネルは、第２受光面を有し、
前記第２受光面は、前記支柱が前記切欠き部を通過しない回転状態では、前記第１受光面と平行であり、かつ、前記支柱が前記切欠き部を通過する回転状態では、前記第１受光面に対して傾斜する、請求項１に記載の太陽光発電装置。
【請求項３】
前記第１太陽光発電パネルは、第１受光面を有し、
前記第２太陽光発電パネルは、第２受光面を有し、
前記第２受光面は、前記支柱が前記切欠き部を通過しない回転状態では、前記第１受光面と面一であり、かつ、前記支柱が前記切欠き部を通過する回転状態では、前記第１受光面と面一ではない、請求項１に記載の太陽光発電装置。
【請求項４】
前記第１太陽光発電パネルは、前記支柱の延在方向と直交する方向に沿って互いに間隔を置いて配置される複数の第１部材と、前記支柱の延在方向と直交する方向に沿って延在し、前記第１部材の各々及び前記支柱と連結される第２部材とを含むフレームとを有し、
前記第１部材は、前記第１部材の延在方向に沿って延在するウェブと、前記ウェブの前記第１受光面側の端に位置し、かつ前記第１部材の延在方向と直交する方向に前記ウェブから張り出す第１フランジとを有し、
前記第２太陽光発電パネルは、前記支柱が前記切欠き部を通過しない回転状態では、前記第１フランジで支持される、請求項２又は請求項３のいずれか１項に記載の太陽光発電装置。
【請求項５】
前記第１太陽光発電パネルは、前記支柱の延在方向と直交する方向に沿う第１回転軸周りに回転可能に前記支柱に取り付けられ、
前記第２太陽光発電パネルは、前記第１太陽光発電パネルに対して前記第１回転軸と平行な方向に沿う第２回転軸周りに回転可能である、請求項４に記載の太陽光発電装置。
【請求項６】
前記第１太陽光発電パネルと前記第２太陽光発電パネルとを互いに固定するロック機構をさらに備え、
前記ロック機構は、前記支柱が前記切欠き部を通過する回転状態では、前記第１太陽光発電パネルと前記第２太陽光発電パネルとの固定を解除するように構成される、請求項５に記載の太陽光発電装置。
【請求項７】
前記ロック機構は、前記第１太陽光発電パネル及び前記第２太陽光発電パネルの一方に取り付けられたピン部材を含むアクチュエータと、前記第１太陽光発電パネル及び前記第２太陽光発電パネルの他方に設けられた孔とを有し、
前記ロック機構は、前記アクチュエータが前記ピン部材を前記孔に挿入することにより前記第１太陽光発電パネルと前記第２太陽光発電パネルとを互いに固定し、前記アクチュエータが前記ピン部材を前記孔から抜くことにより前記第１太陽光発電パネルと前記第２太陽光発電パネルとの固定が解除されるように構成される、請求項６に記載の太陽光発電装置。
【請求項８】
前記第１部材は、前記ウェブの前記第１受光面とは反対側の端に位置し、かつ前記第１部材の延在方向と直交する方向に前記ウェブから張り出す第２フランジをさらに有し、
前記ロック機構は、前記第１部材の延在方向周りに回転可能に前記第２太陽光発電パネルに取り付けられる固定部材を有し、
前記ロック機構は、前記固定部材が前記第２フランジに係止されることにより前記第１太陽光発電パネルと前記第２太陽光発電パネルとが互いに固定され、前記固定部材が前記第１部材の延在方向周りに回転して前記固定部材の前記第２フランジへの係止が解除されることにより前記第１太陽光発電パネルと前記第２太陽光発電パネルとの固定が解除されるように構成される、請求項６に記載の太陽光発電装置。
【請求項９】
前記第１太陽光発電パネルは、前記支柱の延在方向に直交する方向に沿う第１回転軸周りに回転可能に前記支柱に取り付けられ、
前記第２太陽光発電パネルは、前記第１太陽光発電パネルに対して前記第１回転軸と交差する方向に沿う第２回転軸周りに回転可能である、請求項４に記載の太陽光発電装置。
【請求項１０】
前記第１太陽光発電パネルと前記第２太陽光発電パネルとを互いに固定するロック機構をさらに備え、
前記ロック機構は、前記支柱が前記切欠き部を通過する回転状態では、前記第１太陽光発電パネルと前記第２太陽光発電パネルとの固定を解除するように構成される、請求項９に記載の太陽光発電装置。
【請求項１１】
前記ロック機構は、前記第１太陽光発電パネル及び前記第２太陽光発電パネルの一方に取り付けられたピン部材を含むアクチュエータと、前記第１太陽光発電パネル及び前記第２太陽光発電パネルの他方に設けられた孔とを有し、
前記ロック機構は、前記アクチュエータが前記ピン部材を前記孔に挿入することにより前記第１太陽光発電パネルと前記第２太陽光発電パネルとの固定が行われ、前記アクチュエータが前記ピン部材を前記孔から抜くことにより前記第１太陽光発電パネルと前記第２太陽光発電パネルとの固定が解除されるように構成される、請求項１０に記載の太陽光発電装置。
【請求項１２】
前記ロック機構は、一方端が前記第１太陽光発電パネルに取り付けられ、かつ他方端が前記第２太陽光発電パネルに取り付けられる弾性部材を有し、
前記弾性部材は、前記第２太陽光発電パネルを、前記第２受光面と前記第１受光面とが平行になるように前記第１太陽光発電パネルに対して付勢するように構成される、請求項１０に記載の太陽光発電装置。
【請求項１３】
前記第１太陽光発電パネル及び前記第２太陽光発電パネルは、集光型の太陽光発電パネルである、請求項１〜請求項１２のいずれか１項に記載の太陽光発電装置。
【発明の詳細な説明】
【技術分野】
【０００１】
本発明は、太陽光発電装置に関する。
【背景技術】
【０００２】
従来から、意匠登録第１５６０５９９号公報（特許文献１）に記載の集光型太陽光発電装置が知られている。特許文献１に記載の集光型太陽光発電装置は、支柱と、集光型太陽光発電パネルとを有している。特許文献１に記載の集光型太陽光発電装置において、集光型太陽光発電パネルは、支柱に回転可能に取り付けられている。集光型太陽光発電パネルには、支柱に対して回転した際に支柱が通過可能な切欠き部が設けられている。
【先行技術文献】
【特許文献】
【０００３】
【特許文献１】意匠登録第１５６０５９９号公報
【発明の概要】
【発明が解決しようとする課題】
【０００４】
特許文献１に記載の集光型太陽光発電装置においては、集光型太陽光発電パネルに切欠き部が設けられているため、発電に寄与する受光面の面積が小さくなってしまう。その結果、特許文献１に記載の集光型太陽光発電装置においては、発電効率に改善の余地がある。
【０００５】
本発明は、上記のような従来技術の問題点に鑑みてなされたものである。より具体的には、本発明は、発電効率を改善することができる太陽光発電装置を提供する。
【課題を解決するための手段】
【０００６】
本発明の一態様に係る太陽光発電装置は、支柱と、第１太陽光発電パネルと、第２太陽光発電パネルとを備える。第１太陽光発電パネルは、支柱に回転可能に支持され、かつ支柱に対して回転する際に支柱が通過可能な切欠き部を有する。第２太陽光発でパネルは、切欠き部に配置される。第１太陽光発電パネルは、支柱が切欠き部を通過しない回転状態では、第１太陽光発電パネルと第２太陽光発電パネルとが互いに係合することにより第２太陽光発電パネルとともに回転し、かつ、支柱が切欠き部を通過する回転状態では、第１太陽光発電パネルと第２太陽光発電パネルとの係合が解除されることにより第２太陽光発電パネルとは別途に回転するように構成されている。
【発明の効果】
【０００７】
本発明の一態様に係る太陽光発電装置によると、発電効率を改善することができる。
【図面の簡単な説明】
【０００８】
【図１】第１実施形態に係る太陽光発電装置の斜視図である。
【図２】第１実施形態に係る太陽光発電装置におけるフレーム２２の上面図である。
【図３】図２のＩＩＩ−ＩＩＩにおける断面図である。
【図４】第１回転状態にある第１実施形態に係る太陽光発電装置の側面模式図である。
【図５】第１回転状態にある第１実施形態に係る太陽光発電装置の設置面側からみた模式図である。
【図６】第２回転状態にある第１実施形態に係る太陽光発電装置の側面模式図である。
【図７】第２回転状態にある第１実施形態に係る太陽光発電装置の設置面側からみた模式図である。
【図８】第１回転状態にある第２実施形態に係る太陽光発電装置の設置面側からみた模式図である。
【図９】第２回転状態にある第２実施形態に係る太陽光発電装置の設置面側からみた模式図である。
【図１０】第１回転状態にある第２実施形態の変形例に係る太陽光発電装置の設置面側からみた模式図である。
【図１１】第２回転状態にある第２実施形態の変形例に係る太陽光発電装置の模式図である。
【図１２】第３実施形態に係る太陽光発電装置の斜視図である。
【図１３】第１回転状態における第３実施形態に係る太陽光発電装置の設置面側からみた模式図である。
【図１４】第１回転状態における第３実施形態の変形例に係る太陽光発電装置の設置面側からみた模式図である。
【図１５】第２回転状態における第３実施形態に係る太陽光発電装置の設置面側からみた模式図である。
【図１６】第２回転状態における第３実施形態の変形例に係る太陽光発電装置の設置面側からみた模式図である。
【図１７】第１回転状態にある第４実施形態に係る太陽光発電装置の設置面側からみた模式図である。
【図１８】第２回転状態にある第４実施形態に係る太陽光発電装置の設置面側からみた模式図である。
【図１９】第１回転状態にある第４実施形態の変形例に係る太陽光発電装置の設置面側からみた模式図である。
【図２０】第２回転状態にある第４実施形態の変形例に係る太陽光発電装置の模式図である。
【発明を実施するための形態】
【０００９】
［本発明の実施形態の説明］
まず、本発明の実施態様を列記して説明する。
【００１０】
（１）本発明の一実施形態に係る太陽光発電装置は、支柱と、第１太陽光発電パネルと、第２太陽光発電パネルとを備える。第１太陽光発電パネルは、支柱に回転可能に支持され、かつ支柱に対して回転する際に支柱が通過可能な切欠き部を有する。第２太陽光発電パネルは、切欠き部に配置される。第１太陽光発電パネルは、支柱が切欠き部を通過しない回転状態では、第１太陽光発電パネルと第２太陽光発電パネルとが互いに係合することにより第２太陽光発電パネルとともに回転し、かつ、支柱が切欠き部を通過する回転状態では、第１太陽光発電パネルと第２太陽光発電パネルとの係合が解除されることにより第２太陽光発電パネルとは別途に回転するように構成されている。
【００１１】
上記（１）の太陽光発電装置は、第２太陽光発電パネルを備えているため、発電に寄与する受光面の面積が増加し、発電効率が増加する。上記（１）の太陽光発電装置においては、支柱が切欠き部を通過する回転状態では、第１太陽光発電パネルと第２太陽光発電パネルとの係合が解除されることにより第２太陽光発電パネルとは別途に回転するように構成されている。そのため、支柱に対する第１太陽光発電パネルの回転が、第２太陽光発電パネルにより妨げられにくい。そのため、上記（１）の太陽光発電装置によると、第２太陽光発電パネルと支柱との干渉を抑制しつつ、発電効率の改善が可能となる。
【００１２】
（２）上記（１）の太陽光発電装置において、第１太陽光発電パネルは第１受光面を有していてもよく、第２太陽光発電パネルは第２受光面を有していてもよい。第２受光面は、支柱が切欠き部を通過しない回転状態では、第１受光面と平行であり、かつ、支柱が切欠き部を通過する回転状態では、第１受光面に対して傾斜するように構成されていてもよい。
【００１３】
上記（２）の太陽光発電装置によると、第２太陽光発電パネルと支柱との干渉を抑制しつつ、発電効率の改善が可能となる。
【００１４】
（３）上記（１）の太陽光発電装置において、第１太陽光発電パネルは第１受光面を有していてもよく、第２太陽光発電パネルは第２受光面を有していてもよい。第２受光面は、支柱が切欠き部を通過しない回転状態では、第１受光面と面一であり、かつ、支柱が切欠き部を通過する回転状態では、第１受光面と面一でなくなるように構成されていてもよい。
【００１５】
上記（３）の太陽光発電装置によると、受光面の清掃が容易となる。
（４）上記（２）又は上記（３）の太陽光発電装置において、第１太陽光発電パネルは、支柱の延在方向と直交する方向に沿って互いに間隔を置いて配置される複数の第１部材と、支柱の延在方向と直交する方向に沿って延在し、第１部材の各々及び支柱と連結される第２部材とを含むフレームとを有していてもよい。第１部材は、第１部材の延在方向に沿って延在するウェブと、ウェブの第１受光面側の端に位置し、かつ第１部材の延在方向と直交する方向にウェブから張り出す第１フランジとを有していてもよい。第２太陽光発電パネルは、支柱が切欠き部を通過しない回転状態では、第１フランジで支持されてもよい。
【００１６】
上記（４）の太陽光発電装置によると、第２太陽光発電パネルと支柱との干渉を抑制しつつ、発電効率の改善が可能となる。
【００１７】
（５）上記（４）の太陽光発電装置において、第１太陽光発電パネルは、支柱の延在方向に直交する方向に沿う第１回転軸周りに回転可能に支柱に取り付けられていてもよい。第２太陽光発電パネルは、第１太陽光発電パネルに対して第１回転軸と平行な方向に沿う第２回転軸周りに回転可能であってもよい。
【００１８】
上記（５）の太陽光発電装置によると、第２太陽光発電パネルと支柱との干渉を抑制しつつ、発電効率の改善が可能となる。
【００１９】
（６）上記（５）の太陽光発電装置は、第１太陽光発電パネルと第２太陽光発電パネルとを互いに固定するロック機構をさらに備えていてもよい。ロック機構は、支柱が切欠き部を通過する回転状態では、第１太陽光発電パネルと第２太陽光発電パネルとの固定を解除してもよい。
【００２０】
上記（６）の太陽光発電装置によると、風により生じる荷重を均一化することにより、第１太陽光発電パネルを回転させる際のモータ等の損傷を抑制することができる。
【００２１】
（７）上記（６）の太陽光発電装置において、ロック機構は、第１太陽光発電パネル及び第２太陽光発電パネルの一方に取り付けられたピン部材を含むアクチュエータと、第１太陽光発電パネル及び第２太陽光発電パネルの他方に設けられた孔とを有していてもよい。ロック機構は、アクチュエータがピン部材を孔に挿入することにより第１太陽光発電パネルと第２太陽光発電パネルとの固定を行うように構成されていてもよい。ロック機構は、アクチュエータがピン部材を孔から抜くことにより第１太陽光発電パネルと第２太陽光発電パネルとの固定を解除するように構成されていてもよい。
【００２２】
上記（７）の太陽光発電装置によると、風により生じる荷重を均一化することにより、第１太陽光発電パネルを回転させる際のモータ等の損傷を抑制することができる。
【００２３】
（８）上記（６）の太陽光発電装置において、第１部材は、ウェブの第１受光面とは反対側の端に位置し、かつ第１部材の延在方向と直交する方向にウェブから張り出す第２フランジをさらに有していてもよい。ロック機構は、第１部材の延在方向周りに回転可能に第２太陽光発電パネルに取り付けられる固定部材を有していてもよい。ロック機構は、固定部材が第２フランジに係止されることにより、第１太陽光発電パネルと第２太陽光発電パネルとの固定が行われ、固定部材が第１部材の延在方向周りに回転して固定部材の第２フランジへの係止が解除されることにより第１太陽光発電パネルと第２太陽光発電パネルとの固定を解除するように構成されていてもよい。
【００２４】
上記（８）の太陽光発電装置によると、風により生じる荷重を均一化することにより、第１太陽光発電パネルを回転させる際のモータ等の損傷を抑制することができる。
【００２５】
（９）上記（４）の太陽光発電装置において、第１太陽光発電パネルは、支柱の延在方向に直交する方向に沿う第１回転軸周りに回転可能に支柱に取り付けられていてもよい。第２太陽光発電パネルは、第１太陽光発電パネルに対して第１回転軸と交差する方向に沿う第２回転軸周りに回転可能であってもよい。
【００２６】
上記（９）の太陽光発電装置によると、第２太陽光発電パネルと支柱との干渉を抑制しつつ、発電効率の改善が可能となる。
【００２７】
（１０）上記（９）の太陽光発電装置は、第１太陽光発電パネルと第２太陽光発電パネルとを互いに固定するロック機構をさらに備えていてもよい。ロック機構は、支柱が切欠き部を通過する回転状態では、第１太陽光発電パネルと第２太陽光発電パネルとの固定を解除するように構成されていてもよい。
【００２８】
上記（１０）の太陽光発電装置によると、風により生じる荷重を均一化することにより、第１太陽光発電パネルを回転させる際のモータ等の損傷を抑制することができる。
【００２９】
（１１）上記（１０）の太陽光発電装置において、ロック機構は、第１太陽光発電パネル及び第２太陽光発電パネルの一方に取り付けられたピン部材を含むアクチュエータと、第１太陽光発電パネル及び第２太陽光発電パネルの他方に設けられた孔とを有していてもよい。ロック機構は、アクチュエータがピン部材を孔に挿入することにより第１太陽光発電パネルと第２太陽光発電パネルとの固定を行い、アクチュエータがピン部材を孔から抜くことにより第１太陽光発電パネルと第２太陽光発電パネルとの固定を解除するように構成されていてもよい。
【００３０】
上記（１１）の太陽光発電装置によると、風により生じる荷重を均一化することにより、第１太陽光発電パネルを回転させる際のモータ等の損傷を抑制することができる。
【００３１】
（１２）上記（１０）の太陽光発電装置において、ロック機構は、一方端が第１太陽光発電パネルに取り付けられ、かつ他方端が第２太陽光発電パネルに取り付けられる弾性部材を有していてもよい。弾性部材は、第２太陽光発電パネルを第２受光面と第１受光面とが平行になるように第１太陽光発電パネルに対して付勢するように構成されていてもよい。
【００３２】
上記（１２）の太陽光発電装置によると、風により生じる荷重を均一化することにより、第１太陽光発電パネルを回転させる際のモータ等の損傷を抑制することができる。
【００３３】
（１３）上記（１）〜上記（１２）の太陽光発電装置において、第１太陽光発電パネル及び第２太陽光発電パネルは、集光型の太陽光発電パネルであってもよい。
【００３４】
上記（１３）の太陽光発電装置によると、第２太陽光発電パネルと支柱との干渉を抑制しつつ、発電効率の改善が可能となる。
【００３５】
［本発明の実施形態の詳細］
次に、本発明の実施形態の詳細を、図面を参照して説明する。なお、以下の図面においては、同一又は相当する部分に同一の参照番号を付し、その説明は繰り返さないものとする。
【００３６】
（第１実施形態）
以下に、第１実施形態に係る太陽光発電装置の構成を説明する。
【００３７】
図１は、第１実施形態に係る太陽光発電装置の斜視図である。図１に示すように、第１実施形態に係る太陽光発電装置は、支柱１と、第１太陽光発電パネル２と、第２太陽光発電パネル３とを有している。
【００３８】
支柱１は、第１端１ａと、第２端１ｂとを有している。第１端１ａは、支柱１の設置面側の端である。第２端１ｂは、第１端１ａの反対側の端である。支柱１は、第１端１ａから第２端１ｂに向かって延在している。以下においては、第１端１ａから第２端１ｂに向かう方向を、支柱１の延在方向ということがある。支柱１は、例えば円柱形状を有している。
【００３９】
第１太陽光発電パネル２は、第１受光面２ａを有している。第１太陽光発電パネル２は、第１受光面２ａ側において太陽光を受光することにより発電を行う。第１太陽光発電パネル２は、例えば集光型の太陽光発電パネルである。第１太陽光発電パネル２においては、第１受光面２ａからの入射光が第１受光面２ａに設けられたフレネルレンズ等で第１太陽光発電パネル２の内部にある太陽光発電素子に集光されることにより、発電が行われる。
【００４０】
第１太陽光発電パネル２は、支柱に回転可能に取り付けられている。より具体的には、第１太陽光発電パネル２は、支柱１の第２端１ｂ側に、支柱１の延在方向に直交する方向に沿う第１回転軸周りに回転可能に取り付けられている。
【００４１】
第１太陽光発電パネル２は、第１辺２ｂと、第２辺２ｃとを有している。第１辺２ｂ及び第２辺２ｃは、支柱１の延在方向と直交する方向に延在している。第１辺２ｂ及び第２辺２ｃは互いに対向している。第１太陽光発電パネル２には、切欠き部２ｄが設けられている。切欠き部２ｄは、第１辺２ｂから第２辺２ｃに向かって延在している。切欠き部２ｄは、第１太陽光発電パネル２が支柱１に対して第１回転軸周りに回転した際に、支柱１が通過可能な位置に設けられる。
【００４２】
第１太陽光発電パネル２は、複数の太陽光発電モジュール２１と、フレーム２２とを有している。複数の太陽光発電モジュール２１は、フレーム２２の上に取り付けられている。但し、切欠き部２ｄにおいては、フレーム２２に太陽光発電モジュール２１が取り付けられていない。図示していないが、太陽光発電モジュール２１の内部には、太陽光発電素子が配置されている。
【００４３】
図２は、第１実施形態に係る太陽光発電装置におけるフレーム２２の上面図である。図２に示すように、フレーム２２は、複数の第１部材２２ａと、第２部材２２ｂとを有している。第１部材２２ａの各々は、第１辺２ｂ及び第２辺２ｃの延在方向（すなわち、支柱１の延在方向に直交する方向）に沿って間隔を置いて配置されている。第１部材２２ａの各々は、第１辺２ｂから第２辺２ｃに向かう方向に延在している。なお、隣接する第１部材２２ａ同士の間隔は、支柱１の幅よりも広くなっている。
【００４４】
第２部材２２ｂは、第１辺２ｂ及び第２辺２ｃの延在方向（すなわち、支柱１の延在方向に直交する方向）に延在している。第２部材２２ｂは、各々の第１部材２２ａに連結されている。第２部材２２ｂは、支柱１に第１回転軸周りに回転可能に取り付けられている。なお、支柱１に内蔵されたモータ（図示せず）等が第２部材２２ｂを第１回転軸周りに回転させることにより、第１太陽光発電パネル２が、支柱１に対して第１回転軸周りに回転する。
【００４５】
図３は、図２のＩＩＩ−ＩＩＩにおける断面図である。図３に示すように、第１部材２２ａの延在方向に垂直な断面において、第１部材２２ａは、Ｈ字型の断面形状を有している。ここで、第１部材２２ａの延在方向とは、第１部材２２ａの長手方向に沿う方向である。第１部材２２ａは、第１フランジ２２ａａと、第２フランジ２２ａｂと、ウェブ２２ａｃとを有している。
【００４６】
ウェブ２２ａｃは、第１部材２２ａの延在方向に沿って延在している。第１フランジ２２ａａは、ウェブ２２ａｃの第１受光面２ａ側の端に設けられている。第２フランジ２２ａｂは、ウェブ２２ａｃの第１受光面２ａとは反対側の端に設けられている。第１フランジ２２ａａ及び第２フランジ２２ａｂは、第１部材２２ａの延在方向と直交する方向に、ウェブ２２ａｃから両側に張り出している。太陽光発電モジュール２１は、第１フランジ２２ａａに取り付けられている。
【００４７】
第２太陽光発電パネル３は、第２受光面３ａを有している。第２太陽光発電パネル３は、第２受光面３ａ側において太陽光を受光することにより発電を行う。第２太陽光発電パネル３は、例えば集光型の太陽光発電パネルである。
【００４８】
第２太陽光発電パネル３は、切欠き部２ｄに配置されている。第２太陽光発電パネル３は、第１太陽光発電パネル２に対して、第１回転軸と平行な方向に沿う第２回転軸周りに回転可能となっている。より具体的には、第２太陽光発電パネル３は、アーム３１を有しており、アーム３１が第２部材２２ｂに第２回転軸周りに回転可能に取り付けられている。
【００４９】
第２太陽光発電パネル３は、切欠き部２ｄに配置される。より具体的には、第２太陽光発電パネル３は、切欠き部２ｄにある第１フランジ２２ａａに支持されている。
【００５０】
（第１実施形態に係る太陽光発電装置の動作）
以下に、第１実施形態に係る太陽光発電装置の動作を説明する。
【００５１】
図４は、第１回転状態にある第１実施形態に係る太陽光発電装置の側面模式図である。図５は、第１回転状態にある第１実施形態に係る太陽光発電装置の設置面側からみた模式図である。図４に示すように、第１回転状態において、第１太陽光発電パネル２は、支柱１が切欠き部２ｄを通過しない回転状態にある。このことを別の観点からいえば、第１回転状態においては、第１太陽光発電パネル２の第１回転軸周りの回転に伴う第２太陽光発電パネル３の回転が支柱１により規制されていない状態にある。
【００５２】
図５に示すように、第１回転状態において、第２太陽光発電パネル３は、切欠き部２ｄにある第１フランジ２２ａａに支持されることにより、第１太陽光発電パネル２に係合している。その結果、第１受光面２ａと第２受光面３ａとが面一となっている（第１受光面２ａと第２受光面３ａとが平行となっている）。
【００５３】
図６は、第２回転状態にある第１実施形態に係る太陽光発電装置の側面模式図である。図７は、第２回転状態にある第１実施形態に係る太陽光発電装置の設置面側からみた模式図である。図６に示すように、第２回転状態において、第１太陽光発電パネル２は、支柱１に対して、支柱１が切欠き部２ｄを通過する回転状態にある。
【００５４】
第２回転状態においては、図７に示すように、第２太陽光発電パネル３の第１回転軸周りの回転が支柱１により規制される。これに伴い、第２太陽光発電パネル３は、第２回転軸周りに第１太陽光発電パネル２に対して相対的に回転し、第１フランジ２２ａａに支持されなくなる。すなわち、第２太陽光発電パネル３の第１太陽光発電パネル２に対する係合が解除される。
【００５５】
その結果、第１太陽光発電パネル２は、第２太陽光発電パネル３とは別途に、に回転するようになる。この際には、第１受光面２ａと第２受光面３ａとは、面一ではなくなっている（第２受光面３ａは、第１受光面２ａに対して傾斜している）。そのため、第１太陽光発電パネル２の支柱１に対する回転は、第２太陽光発電パネル３により妨げられにくい。
【００５６】
なお、第２太陽光発電パネル３の第１太陽光発電パネル２に対する係合は、第２回転状態の全てにわたって解除されている必要はなく、少なくとも第２太陽光発電パネル３の第１回転軸周りの回転が支柱１によって規制されている際に解除されていれば足りる。
【００５７】
（第１実施形態に係る太陽光発電装置の効果）
以下に、第１実施形態に係る太陽光発電装置の効果を説明する。
【００５８】
第１実施形態に係る太陽光発電装置においては、切欠き部２ｄに第２太陽光発電パネル３が配置されているため、受光面の面積が増える。そのため、第１実施形態に係る太陽光発電装置によると、発電効率を改善することができる。このことを別の観点からいえば、太陽光発電装置１台あたりの発電量が向上するため、同一の発電量であれば、太陽光発電装置の台数を減らすことができ、太陽光発電装置間を電気的に接続するケーブルの数を減らすことができる。
【００５９】
第１実施形態に係る太陽光発電装置においては、第２回転状態では、第２太陽光発電パネル３と第１太陽光発電パネル２との係合が解除されることにより、第１太陽光発電パネル２が、第２太陽光発電パネル３とは別途に回転する。そのため、支柱１に対する第１太陽光発電パネル２の回転が、第２太陽光発電パネル３により妨げられにくい。
【００６０】
以上から、第１実施形態に係る太陽光発電装置によると、第２太陽光発電パネル３と支柱１との干渉を抑制しつつ、発電効率の改善が可能となる。
【００６１】
第１太陽光発電パネル２には切欠き部２ｄが設けられているため、第１太陽光発電パネル２単体でみた場合には、上下方向（第１辺２ｂから第２辺２ｃに向かう方向）における重量バランスが不均一になっている。第１実施形態に係る太陽光発電装置においては、切欠き部２ｄに第２太陽光発電パネル３が配置されているため、太陽光発電パネル全体としてみた際の上下方向における重量バランスが改善される。そのため、第１実施形態に係る太陽光発電装置によると、第１太陽光発電パネル２を回転させるために支柱１に内蔵されるモータ等の回転負荷を低減することができる。
【００６２】
第１実施形態に係る太陽光発電装置において、第２回転状態にある際に第１受光面２ａと第２受光面３ａとが面一になるため、受光面の清掃が容易になる。
【００６３】
（第２実施形態に係る太陽光発電装置の構成）
以下に、第２実施形態に係る太陽光発電装置の構成を説明する。なお、以下においては、第１実施形態に係る太陽光発電装置の構成と異なる点を主に説明し、重複する説明は繰り返さない。
【００６４】
第２実施形態に係る太陽光発電装置は、支柱１と、支柱１に第１回転軸周りに回転可能に取り付けられ、かつ支柱１に対して回転する際に支柱１が通過可能な切欠き部２ｄが設けられた第１太陽光発電パネル２と、切欠き部２ｄに設けられた第２太陽光発電パネル３とを有している点、第１太陽光発電パネル２は、第１回転状態では、第２太陽光発電パネル３と係合して第２太陽光発電パネル３とともに回転する点、第１太陽光発電パネル２は、第２回転状態では、第２太陽光発電パネル３との係合が解除されて第２太陽光発電パネル３とは別途に回転する点及び第２太陽光発電パネル３が第１太陽光発電パネル２に対して第１回転軸と平行な第２回転軸周りに回転可能である点において、第１実施形態に係る太陽光発電パネルと共通している。
【００６５】
図８は、第１回転状態にある第２実施形態に係る太陽光発電装置の設置面側からみた模式図である。図９は、第２回転状態にある第２実施形態に係る太陽光発電装置の設置面側からみた模式図である。図８及び図９に示すように、第２実施形態に係る太陽光発電装置は、ロック機構４をさらに有している。この点において、第２実施形態に係る太陽光発電装置は、第１実施形態に係る太陽光発電装置と異なっている。
【００６６】
ロック機構４は、第１回転状態においては、第１太陽光発電パネル２と第２太陽光発電パネル３とを互いに固定する。ロック機構４は、第２回転状態においては、第１太陽光発電パネル２と第２太陽光発電パネル３との固定を解除する。
【００６７】
より具体的には、ロック機構４は、アクチュエータ４１と、孔４２とにより構成されている。アクチュエータ４１は、第１太陽光発電パネル２に取り付けられている。アクチュエータ４１は、ピン部材４１ａを有している。孔４２は、第２太陽光発電パネル３に設けられている。アクチュエータ４１は、例えば電動式のアクチュエータである。アクチュエータ４１は、空圧式、油圧式、バネ式又はゼンマイ式のアクチュエータであってもよい。
【００６８】
アクチュエータ４１が第２太陽光発電パネル３に取り付けられてもよく、孔４２が第１太陽光発電パネル２に設けられていてもよい。要するに、ロック機構４は、第１太陽光発電パネル２及び第２太陽光発電パネル３の一方に取り付けられたピン部材４１ａを有するアクチュエータ４１と、第１太陽光発電パネル２及び第２太陽光発電パネル３の他方に設けられた孔４２とを有している。
【００６９】
アクチュエータ４１は、第１回転状態において、ピン部材４１ａを孔４２に挿入するように制御される。他方、アクチュエータ４１は、第１回転状態から第２回転状態に移行する際に、ピン部材４１ａを孔４２から抜くように制御される。これにより、ロック機構４は、第１回転状態においては、第１太陽光発電パネル２と第２太陽光発電パネル３とを固定するとともに、第１回転状態から第２回転状態に移行する際に、第１太陽光発電パネル２と第２太陽光発電パネル３との固定を解除する。
【００７０】
図１０は、第１回転状態にある第２実施形態の変形例に係る太陽光発電装置の設置面側からみた模式図である。図１１は、第２回転状態にある第２実施形態の変形例に係る太陽光発電装置の模式図である。図１０及び図１１に示すように、ロック機構４は、固定部材４３を有していてもよい。
【００７１】
固定部材４３は、第１部材２２ａの延在方向に沿う第３回転軸周りに回転可能に第２太陽光発電パネル３に取り付けられている。固定部材４３は、第１突出部４３ａと、第２突出部４３ｂとを有している。ロック機構４は、弾性部材４３ｃをさらに有していてもよい。
【００７２】
第１突出部４３ａは、固定部材４３の第２受光面３ａから遠い側の端に位置している。第２突出部４３ｂは、固定部材４３の第２受光面３ａに近い側の端に位置している。第１突出部４３ａは、第１太陽光発電パネル２側に突出している。第２突出部４３ｂは、第１突出部４３ａとは反対側に突出している。なお、支柱１には、突出部１１が設けられている。
【００７３】
第１回転状態においては、第１突出部４３ａが第２フランジ２２ａｂに係止される。第２回転状態においては、支柱１と第２太陽光発電パネル３との距離が近づく。その結果、突出部１１と第２突出部４３ｂとが接触して固定部材４３が第３回転軸周りに回転することにより、第１突出部４３ａと第２フランジ２２ａｂとの係止が解除される。なお、弾性部材４３ｃは、第１突出部４３ａが第１太陽光発電パネル２側に近づくように、固定部材４３を付勢する。その結果、支柱１が第２太陽光発電パネル３との距離が遠くなり突出部１１と第２突出部４３ｂとが接触しなくなると、第１突出部４３ａは、再び第２フランジ２２ａｂに係止されるようになる。
【００７４】
このようにして、ロック機構４は、第１回転状態においては、第１太陽光発電パネル２と第２太陽光発電パネル３との固定を行い、第２回転状態においては、第１太陽光発電パネル２と第２太陽光発電パネル３との固定を解除してもよい。
【００７５】
（第２実施形態に係る太陽光発電装置の効果）
以下に、第２実施形態に係る太陽光発電装置の効果を説明する。以下においては、第１実施形態に係る太陽光発電装置の効果と異なる点について主に説明し、重複する説明は繰り返さない。
【００７６】
太陽光発電装置は、屋外で使用されるため、風の影響を受ける。第１回転状態において第１太陽光発電パネル２と第２太陽光発電パネル３とが相互に固定されていない場合には、第２太陽光発電パネル３が第１太陽光発電パネル２に対して回転することにより、風を受け流してしまう。その結果、第１太陽光発電パネル２が受ける風による荷重は、上下方向で不均一となる。このような荷重の不均一は、第１太陽光発電パネル２を駆動するためのモータ等が損傷する原因になりうる。
【００７７】
第２実施形態に係る太陽光発電装置において、ロック機構４は、第１回転状態においては、第１太陽光発電パネル２と第２太陽光発電パネル３とを互いに固定するとともに、第２回転状態においては、第１太陽光発電パネル２と第２太陽光発電パネル３との固定を解除する。そのため、第１回転状態において第２太陽光発電パネル３も風による荷重を分担することになるため、第１太陽光発電パネル２が受ける風による荷重が、上下方向で均一化される。したがって、第２実施形態に係る太陽光発電装置によると、第１太陽光発電パネルを回転させる際のモータ等の損傷を抑制することができる。
【００７８】
（第３実施形態）
以下に、第３実施形態に係る太陽光発電装置の構成を説明する。なお、以下においては、第１実施形態に係る太陽光発電装置の構成と異なる点を主に説明し、重複する説明は繰り返さない。
【００７９】
第３実施形態に係る太陽光発電装置は、支柱１と、支柱１に第１回転軸周りに回転可能に取り付けられ、かつ支柱１に対して回転する際に支柱１が通過可能な切欠き部２ｄが設けられた第１太陽光発電パネル２と、切欠き部２ｄに設けられた第２太陽光発電パネル３とを有している点、第１太陽光発電パネル２は、第１回転状態では、第２太陽光発電パネル３と係合して第２太陽光発電パネル３とともに回転する点及び第１太陽光発電パネル２は、第２回転状態では、第２太陽光発電パネル３との係合が解除されて第２太陽光発電パネル３とは別途に回転する点において、第１実施形態に係る太陽光発電パネルと共通している。
【００８０】
図１２は、第３実施形態に係る太陽光発電装置の斜視図である。図１２に示すように、第３実施形態に係る太陽光発電装置においては、第２太陽光発電パネル３は、第１太陽光発電パネル２に対し、第１回転軸に交差する方向に沿う第２回転軸周りに回転可能に取り付けられている。第２回転軸は、第１回転軸に直交する方向に沿っていることが好ましい。この点において、第３実施形態に係る太陽光発電装置は、第１実施形態に係る太陽光発電装置と異なっている。第２太陽光発電パネル３は、例えばヒンジ５により、第１太陽光発電パネル２に第２回転軸周りに回転可能に取り付けられている（図１３及び図１４参照）。
【００８１】
なお、第２太陽光発電パネル３は、支柱１の延在方向に直交する方向において相互に分離した第１部分３ｂ及び第２部分３ｃにより構成されていてもよい。この場合、第１部分３ｂは、第２部分３ｃとは反対側において第１回転軸に交差する第２回転軸周りに回転可能に第１太陽光発電パネル２に取り付けられ、第２部分３ｃは、第１部分３ｂとは反対側において第１回転軸に交差する第４回転軸周りに回転可能に第１太陽光発電パネル２に取り付けられる（図１４参照）。第２太陽光発電パネル３が第１部分３ｂ及び第２部分３ｃを有している場合、第１フランジ２２ａａは、第２太陽光発電パネル３が第１部分３ｂ及び第２部分３ｃを有していない場合に比較して、第１部分３ｂ及び第２部分３ｃを支持するため、ウェブ２２ａｃからより大きく張り出していることが好ましい。
【００８２】
（第３実施形態に係る太陽光発電装置の動作）
以下に、第３実施形態に係る太陽光発電装置の動作を説明する。
【００８３】
図１３は、第１回転状態における第３実施形態に係る太陽光発電装置の設置面側からみた模式図である。図１４は、第１回転状態における第３実施形態の変形例に係る太陽光発電装置の設置面側からみた模式図である。図１５は、第２回転状態における第３実施形態に係る太陽光発電装置の設置面側からみた模式図である。図１６は、第２回転状態における第３実施形態の変形例に係る太陽光発電装置の設置面側からみた模式図である。
【００８４】
図１３及び図１４に示すように、第１回転状態において、第２太陽光発電パネル３は、切欠き部２ｄにある第１フランジ２２ａａに支持されることにより、第１太陽光発電パネル２に係合している。その結果、第１受光面２ａと第２受光面３ａとが面一となっている（第１受光面２ａと第２受光面３ａとが平行となっている）。
【００８５】
図１５に示すように、第２回転状態においては、第２太陽光発電パネル３の第１回転軸周りの回転が支柱１により規制される。これに伴い、第２太陽光発電パネル３は、第１太陽光発電パネル２に対して相対的に第２回転軸周りに回転するため、第１フランジ２２ａａに支持されなくなる。すなわち、第２太陽光発電パネル３の第１太陽光発電パネル２に対する係合が解除される。
【００８６】
図１６に示すように、第２太陽光発電パネル３が第１部分３ｂ及び第２部分３ｃを有している場合、第２太陽光発電パネル３の第１回転軸周りの回転が支柱１により規制されるのに伴い、第１部分３ｂは、第１太陽光発電パネル２に対して相対的に第２回転軸周りに回転し、第１フランジ２２ａａに支持されなくなる。また、この際、第２部分３ｃは、第１太陽光発電パネル２に対して相対的に第４回転軸周りに回転し、第１フランジ２２ａａに支持されなくなる。このように、第２太陽光発電パネル３が第１部分３ｂ及び第２部分３ｃを有する場合も、第２太陽光発電パネル３の第１軸周りの回転が支柱１により規制されることにより、第２太陽光発電パネル３の第１太陽光発電パネル２に対する係合が解除される。
【００８７】
その結果、第１太陽光発電パネル２は、第２太陽光発電パネル３とは別途に回転するようになる。この際には、第１受光面２ａと第２受光面３ａとは、面一でなくなっている（第２受光面３ａは、第１受光面２ａに対して傾斜している）。そのため、第１太陽光発電パネル２の支柱１に対する回転は、第２太陽光発電パネル３により妨げられにくい。
【００８８】
（第３実施形態に係る太陽光発電装置の効果）
以下に、第３実施形態に係る太陽光発電装置の効果を説明する。
【００８９】
第３実施形態に係る太陽光発電装置においては、切欠き部２ｄに第２太陽光発電パネル３が配置されているため、受光面の面積が増える。そのため、第３実施形態に係る太陽光発電装置によると、発電効率を改善することができる。このことを別の観点からいえば、太陽光発電装置１台あたりの発電量が向上するため、同一の発電量であれば、太陽光発電装置の台数を減らすことができ、太陽光発電装置間を電気的に接続するケーブルの数を減らすことができる。
【００９０】
第３実施形態に係る太陽光発電装置においては、第２回転状態では、第２太陽光発電パネル３と第１太陽光発電パネル２との係合が解除されることにより、第１太陽光発電パネル２が、第２太陽光発電パネル３とは別途に回転する。そのため、支柱１に対する第１太陽光発電パネル２の回転が、第２太陽光発電パネル３により妨げられにくい。
【００９１】
以上から、第１実施形態に係る太陽光発電装置によると、第２太陽光発電パネル３と支柱１との干渉を抑制しつつ、発電効率の改善が可能となる。
【００９２】
（第４実施形態に係る太陽光発電装置の構成）
以下に、第４実施形態に係る太陽光発電装置の構成を説明する。なお、以下においては、第３実施形態に係る太陽光発電装置の構成と異なる点を主に説明し、重複する説明は繰り返さない。
【００９３】
第４実施形態に係る太陽光発電装置は、支柱１と、支柱１に第１回転軸周りに回転可能に取り付けられ、かつ支柱１に対して回転する際に支柱１が通過可能な切欠き部２ｄが設けられた第１太陽光発電パネル２と、切欠き部２ｄに設けられた第２太陽光発電パネル３とを有している点、第１太陽光発電パネル２は、第１回転状態では、第２太陽光発電パネル３と係合して第２太陽光発電パネル３とともに回転する点、第１太陽光発電パネル２は、第２回転状態では、第２太陽光発電パネル３との係合が解除されて第２太陽光発電パネル３とは別途に回転する点及び第２太陽光発電パネル３が第１太陽光発電パネル２に対して第１回転軸と交差する方向に沿う第２回転軸周りに回転可能である点において、第３実施形態に係る太陽光発電パネルと共通している。
【００９４】
図１７は、第１回転状態にある第４実施形態に係る太陽光発電装置の設置面側からみた模式図である。図１８は、第２回転状態にある第４実施形態に係る太陽光発電装置の設置面側からみた模式図である。図１７及び図１８に示すように、第４実施形態に係る太陽光発電装置は、ロック機構４をさらに有している。この点において、第４実施形態に係る太陽光発電装置は、第３実施形態に係る太陽光発電装置と異なっている。
【００９５】
ロック機構４は、第１回転状態においては、第１太陽光発電パネル２と第２太陽光発電パネル３とを互いに固定する。ロック機構４は、第２回転状態においては、第１太陽光発電パネル２と第２太陽光発電パネル３との固定を解除する。
【００９６】
より具体的には、ロック機構４は、アクチュエータ４１と、第１孔４２ａとを有している。ロック機構４は、第２孔４２ｂをさらに有していてもよい。アクチュエータ４１は、第１太陽光発電パネル２に取り付けられている。アクチュエータ４１は、ピン部材４１ａを有している。第１孔４２ａ及び第２孔４２ｂは、第２太陽光発電パネル３に設けられている。
【００９７】
アクチュエータ４１が第２太陽光発電パネル３に取り付けられてもよく、第１孔４２ａ及び第２孔４２ｂが第１太陽光発電パネル２に設けられていてもよい。要するに、ロック機構４は、第１太陽光発電パネル２及び第２太陽光発電パネル３の一方に取り付けられたピン部材４１ａを有するアクチュエータ４１と、第１太陽光発電パネル２及び第２太陽光発電パネル３の他方に設けられた第１孔４２ａ及び第２孔４２ｂとを有している。
【００９８】
アクチュエータ４１は、第１回転状態において、ピン部材４１ａを第１孔４２ａに挿入するように制御される。他方、アクチュエータ４１は、第１回転状態から第２回転状態に移行する際に、ピン部材４１ａを第１孔４２ａから抜くように制御される。これにより、ロック機構４は、第１回転状態においては、第１太陽光発電パネル２と第２太陽光発電パネル３とを固定するとともに、第１回転状態から第２回転状態に移行する際に、第１太陽光発電パネル２と第２太陽光発電パネル３との固定を解除する。なお、第１回転状態から第２回転状態に移行し終わった後においては、アクチュエータ４１は、ピン部材４１ａを第２孔４２ｂに挿入するように制御されてもよい。これにより、ロック機構４は、第１太陽光発電パネル２と第２太陽光発電パネル３とを再び固定する。
【００９９】
図１９は、第１回転状態にある第４実施形態の変形例に係る太陽光発電装置の設置面側からみた模式図である。図２０は、第２回転状態にある第４実施形態の変形例に係る太陽光発電装置の模式図である。図１９及び図２０に示すように、ロック機構４は、弾性部材４４により構成されていてもよい。弾性部材４４の一方端は、第１太陽光発電パネル２に取り付けられている。弾性部材４４の他方端は、第２太陽光発電パネル３に取り付けられている。
【０１００】
第１回転状態において、弾性部材４４は、第２太陽光発電パネル３を第１フランジ２２ａａに押し付ける方向に付勢している。この付勢力に抗して第２太陽光発電パネル３を第２回転軸周りに回転させると、弾性部材４４は、第１フランジ２２ａａから離れた状態を維持するように第２太陽光発電パネル３を付勢する。このように、ロック機構４は、第１回転状態においては、第１太陽光発電パネル２と第２太陽光発電パネル３とを固定するとともに、第２回転状態においては、第１太陽光発電パネル２と第２太陽光発電パネル３との固定を解除する。
【０１０１】
太陽光発電装置は、屋外で使用されるため、風の影響を受ける。第１回転状態において第１太陽光発電パネル２と第２太陽光発電パネル３とが相互に固定されていない場合には、第２太陽光発電パネル３が第１太陽光発電パネル２に対して回転することにより、風を受け流してしまう。その結果、第１太陽光発電パネル２が受ける風による荷重は、上下方向で不均一となる。このような荷重の不均一は、第１太陽光発電パネル２を駆動するためのモータ等が損傷する原因になりうる。
【０１０２】
第４実施形態に係る太陽光発電装置において、ロック機構４は、第１回転状態においては、第１太陽光発電パネル２と第２太陽光発電パネル３とを互いに固定するとともに、第２回転状態においては、第１太陽光発電パネル２と第２太陽光発電パネル３との固定を解除する。そのため、第１回転状態において第２太陽光発電パネル３も風による荷重を分担することになるため、第１太陽光発電パネル２が受ける風による荷重が、上下方向で均一化される。したがって、第２実施形態に係る太陽光発電装置によると、第１太陽光発電パネルを回転させる際のモータ等の損傷を抑制することができる。
【０１０３】
今回開示された実施の形態はすべての点で例示であって、制限的なものではないと考えられるべきである。本発明の範囲は上記した実施の形態ではなく特許請求の範囲によって示され、特許請求の範囲と均等の意味、及び範囲内での全ての変更が含まれることが意図される。
【符号の説明】
【０１０４】
１  支柱
１ａ  第１端
１ｂ  第２端
１１  突出部
２  第１太陽光発電パネル
２ａ  第１受光面
２ｂ  第１辺
２ｃ  第２辺
２ｄ  切欠き部
２１  太陽光発電モジュール
２２  フレーム
２２ａ  第１部材
２２ａａ  第１フランジ
２２ａｂ  第２フランジ
２２ｂ  第２部材
３  第２太陽光発電パネル
３ａ  第２受光面
３ｂ  第１部分
３ｃ  第２部分
３１  アーム
４  ロック機構
４１  アクチュエータ
４１ａ  ピン部材
４２  孔
４２ａ  第１孔
４２ｂ  第２孔
４３  固定部材
４３ａ  第１突出部
４３ｂ  第２突出部
４３ｃ  弾性部材
４４  弾性部材
５  ヒンジ
【図１】
2019062692.tif 000003
【図２】
2019062692.tif 000004
【図３】
2019062692.tif 000005
【図４】
2019062692.tif 000006
【図５】
2019062692.tif 000007
【図６】
2019062692.tif 000008
【図７】
2019062692.tif 000009
【図８】
2019062692.tif 000010
【図９】
2019062692.tif 000011
【図１０】
2019062692.tif 000012
【図１１】
2019062692.tif 000013
【図１２】
2019062692.tif 000014
【図１３】
2019062692.tif 000015
【図１４】
2019062692.tif 000016
【図１５】
2019062692.tif 000017
【図１６】
2019062692.tif 000018
【図１７】
2019062692.tif 000019
【図１８】
2019062692.tif 000020
【図１９】
2019062692.tif 000021
【図２０】
2019062692.tif 000022